(57)【要約】【課題】屋外のごみ収納庫に多量のごみを貯留し、別のごみ容器への移し替えの回数を減らせるとともに、ごみ容器の数も減らせるごみ収納装置を提供する。【解決手段】外壁８を挟んで室内側に開口するごみ投入口４と、投入されたごみを屋外のごみ収納庫６に排出するために外壁８を貫通して斜設されたシュータ５と、該ごみ収納庫６を収容するとともに、排気ファンＦを備えたハウジング部７とからなり、上記ごみ収納庫６の上方には貯留したごみを圧縮する圧縮手段１が上記ハウジング部７の天板に吊設され、この圧縮手段１の膨張と連動して上記排気ファンＦが排気するようにされたごみ収納装置。【選択図】図１
2005306520.tif 000002
【特許請求の範囲】
【請求項１】
外壁を挟んで室内側に開口するごみ投入口と、投入されたごみを屋外のごみ収納庫に排出するために外壁を貫通して斜設されたシュータと、該ごみ収納庫を収容するとともに、排気ファンを備えたハウジング部とからなり、上記ごみ収納庫の上方には貯留したごみを圧縮する圧縮手段が上記ハウジング部の天板に吊設され、この圧縮手段のごみ圧縮操作と連動して上記排気ファンが排気するようにされたごみ収納装置。
【請求項２】
上記圧縮手段が伸縮自在に形成されたジャバラとされ、空気ポンプから圧入した空気により膨張してごみを圧縮するとともに、膨張後、上記開閉扉を開けるとジャバラ内の空気を放出して弾性的に縮退する請求項１に記載のごみ収納装置。
【請求項３】
上記ハウジング部にはごみの位置を検知する位置検知手段が設けられるとともに、ごみが所定位置に達していないときは上記圧縮手段が作動しないロック回路を備えた請求項１に記載のごみ収納装置。
【請求項４】
上記ごみ位置検知手段が赤外線投光部と受光部とからなる赤外線センサーである請求項３に記載のごみ収納装置。
【発明の詳細な説明】
【技術分野】
【０００１】
本発明は、ごみ収納装置に関する。さらに詳しくは、ごみの嵩張りを圧縮する圧縮機能を有するごみ収納装置に関する。
【背景技術】
【０００２】
近年、キッチン等屋内で発生する生ごみ等のごみを、キッチンの投入口から、外壁を貫通するシュータを介して屋外のごみ収納庫に直接排出し、一時保管するごみ収納装置が開発されている。しかしながら、上記ごみの中には、空気を含んだものや、紙、プラスチックシート等、体積の嵩張るごみも混入しているため、すぐにごみ収納庫が一杯となり、シュータが詰まったり、ごみ収納庫が溢れるという問題が生じる。そのため、ごみ収納庫から別のごみ容器への移し替えを頻繁に行なわなければならず繁雑であるとともに、ごみ容器の数も多くなり非経済的という問題もある。
【特許文献１】特開平９−２８６５０３号公報（第１−４頁、第２図）
【発明の開示】
【発明が解決しようとする課題】
【０００３】
本発明は、上記問題を解決して、屋外に設置されるごみ収納庫にできるだけ多くのごみを収納可能とし、貯留したごみを別のごみ容器への移し替える回数を少なくするとともに、ごみ容器の数を減らすことのできるごみ収納装置を提供することをその課題とする。
【課題を解決するための手段】
【０００４】
上記課題を解決するため、本発明においては、つぎのような技術的手段を講じている。すなわち、本発明によれば、外壁を挟んで室内側に開口するごみ投入口と、投入されたごみを屋外のごみ収納庫に排出するために外壁を貫通して斜設されたシュータと、該ごみ収納庫を収容するとともに、排気ファンを備えたハウジング部とからなり、上記ごみ収納庫の上方には貯留したごみを圧縮する圧縮手段が上記ハウジング部の天板に吊設され、この圧縮手段のごみ圧縮操作と連動して上記排気ファンが排気するようにされたごみ収納装置が提供される。
【０００５】
上記圧縮手段が伸縮自在に形成されたジャバラとされ、空気ポンプから圧入した空気によって膨張してごみを圧縮するとともに、膨張後、上記開閉扉を開けるとジャバラ内の空気を放出して弾性的に縮退するようにされることが好ましい。上記ジャバラは、通常、ポリプロピレン、ポリエチレン等弾性的に復帰する合成樹脂から形成される。
【０００６】
上記ハウジング部にはごみの位置を検知する位置検知手段が設けられるとともに、ごみの位置が所定位置に達していないときには上記圧縮手段が作動しないロック回路を備えることが好ましい。また、上記ごみ位置検知手段としては、赤外線投光部と受光部とからなる赤外線センサーを用いることが好ましい。
【発明の効果】
【０００７】
請求項１に記載の発明は上記のとおりであり、ハウジング部の天板に吊設され、貯留したごみを圧縮する圧縮手段と連動して排気ファンが排気するため、圧縮時に、体積が減少するごみから空気とともに押出された臭気を直ちに排気するため、室内に臭気が進入することを防げる。
【０００８】
上記圧縮手段が伸縮自在に形成されたジャバラとされ、空気ポンプから圧入した空気によって膨張してごみを圧縮するとともに、膨張後、開閉扉を開けるとジャバラ内の空気を放出して瞬間的に弾性縮退するため、ハウジング部内は僅かに負圧となり、ごみ投入時においても臭気がごみ投入口から進入することを防ぐ。
【０００９】
上記ハウジング部にはごみ位置検知手段が設けられるとともに、ごみが所定位置に達していないときには上記圧縮手段が作動しないロック回路を備えているため、不必要なごみ圧縮手段の作動を防ぐことができる。また、ごみ位置検知手段として赤外線センサーを用いることにより、簡単にごみの位置を検知することができる。
【発明を実施するための最良の形態】
【００１０】
以下、本発明の実施形態について図面を参照して、詳細に説明する。図１は、本発明にかかるごみ収納装置を説明するために一部を側断面で示す部分断面説明図である。図１からよくわかるように、上記ごみ収納装置は外壁８を挟んで室内側に開口するごみ投入口４と、投入されたごみを屋外に設置されたごみ収納庫６に排出するため、外壁８を貫通して斜設されたシュータ５と、上記ごみ収納庫６を収容するハウジング部７とから構成され、圧縮手段１としてポリプロピレン製のジャバラがハウジング部７の天板に図示しない構造体で吊設されている。また、ごみ投入口４には、開閉扉４１が、臭気の進入を防止するためのパッキン４２を介して付設されている。
【００１１】
上記ごみ収納庫６の上方に吊設されたジャバラは下端部に押圧部１１を備えており、ジャバラに空気を圧入し、膨張させて貯留したごみを押圧部１１で圧縮し、体積を減少させる。上記空気は、モータＭで駆動する空気ポンプ２によって切替え弁３を経由して圧入される。また、ハウジング部７の上部には、ごみの臭気を排気するための排気ファンＦが備えられ、ハウジング部７の前板７１には赤外線センサー９の投光部９ａが、背板７２には受光部９ｂが設けられている。また、上記ごみ収納装置は、ごみが少量で、投光部９ａからの赤外線がごみ収納庫６の前面および後面に設けられた図示しない透明窓を透過して受光部９ｂに受光されると、ごみの圧縮を不要と判断してジャバラの作動をロックする図示しないロック回路を有している。
【００１２】
図２は、赤外線センサー９のごみ貯留検知により空気ポンプ２が作動し、ジャバラが膨張するとともに、押圧部１１でごみを圧縮する動作を示す説明図である。図２からよくわかるように、空気ポンプ２の作動と同時に空気流路は切替え弁３によってジャバラ側に切替えられるため、空気は矢印に沿って流れ、ジャバラが膨張し、先端部に付設された押圧部１１がごみを圧縮する。また、ごみ圧縮開始と同時に排気ファンＦが駆動し、圧縮されたごみから臭気とともに押出された空気は排気される。
【００１３】
図３は、上記に説明した動作によってごみを圧縮した後、ごみ投入口４を開けて、新たにごみを投入するときのジャバラの動作を示す説明図である。図３において、開閉扉４１に内設された扉開閉センサ（図示せず）が開閉扉４１開を検知すると、空気ポンプ２の作動は停止し、同時に切替え弁３が空気放出側に切替えられるとともに、ジャバラの弾性的な縮退によってジャバラ内の空気は矢印にしたがって急速に放出される。このように、ジャバラの瞬間的な弾性縮退によってハウジング部７内は僅かに負圧となるため、ごみ投入口４から臭気が進入することを防ぎながら、新たにごみを投入することができる。
【００１４】
なお、上記実施形態においては、赤外線センサー９によりごみ位置を検知し、ごみが所定位置に達しないときは、ジャバラを膨張させないロック回路が設定されているが、ロック回路を設定せずに、常に、空気ポンプ２を作動させてごみを圧縮する形態とし、開閉扉４１を開としたときのみ、ジャバラを弾性縮退させる形態としてもよい。また、タイマーで一定時間ごとにジャバラを膨張させ、ごみを圧縮する形態としてもよい。このように、上記ごみ収納装置は種々設計変更可能であり、特許請求の範囲を逸脱しない限り、いずれの場合も本発明の技術的範囲に含まれる。
【図面の簡単な説明】
【００１５】
【図１】本発明にかかるごみ収納装置を説明する部分断面説明図である。
【図２】ジャバラが膨張するとともにごみを圧縮する動作を示す説明図である。
【図３】ごみ圧縮後、新たにごみを投入するときのジャバラの動作を示す説明図である。
【符号の説明】
【００１６】
１          圧縮手段
１１        押圧部
２          空気ポンプ
３          切替え弁
４          ごみ投入口
４１        開閉扉
４２        パッキン
５          シュータ
６          ごみ収納庫
７          ハウジング部
７１        前板
７２        背板
８          外壁
９          赤外線センサー
９ａ        投光部
９ｂ        受光部
Ｆ          排気ファン
Ｍ          モータ
【図１】
2005306520.tif 000003
【図２】
2005306520.tif 000004
【図３】
2005306520.tif 000005